(57)【特許請求の範囲】
【請求項１】
硬さの異なる複数の多気泡クッション材を上層から下層に向け順次硬さが硬くなるよう積層し、該積層体の上面から下面にまで突き抜けている複数のスリットを、平面視、スリットの一辺の中間部に、隣接するスリットの一端部を微細連続部分を有して接近させて穿設し、隣接する複数スリットにより囲われた柱状部分を形成してなるマットレス。
【請求項２】
スリットは１辺よりなり平面形状がＩ字形をなしている請求項１記載のマットレス。
【請求項３】
スリットは３辺よりなり各辺の端部が一点に集中し、他端部が放射状に開いた平面形状がＹ字形をなしている請求項１記載のマットレス。
【請求項４】
少なくとも身体に接する側の面を、荷重を受けた部位のみ伸張性を発揮する柔軟な生地を用いた側地で覆ってなる請求項２記載のマットレス。
【請求項５】
スリットの端部には、ふくらみ空間を設けてなる請求項２又は３記載のマットレス。
【発明の詳細な説明】
【０００１】
【発明の属する技術分野】
本発明は敷寝具に用いるマットレスに関する。
【０００２】
【従来の技術】
従来、多気泡クッション材例えばウレタンフォームなどを平板状にしたマットレスは知られているが、その上に横臥したときにマットレスが柔らかい場合には、重量のかかる腰部が他部に比して沈むため、マットレスを硬目のものにしなければならなかった。
【０００３】
硬目のマットレスにした場合、マットレスがその上に乗っている身体の体重を受けたとき、身体を受ける部分の周辺のマットレスも身体を受ける部分のマットレスに引かれて変形を生じ、それが身体の体重分布とは異なった圧縮変形をマットレスに生じさせるため寝心地を悪くする一つの原因ともなった。
【０００４】
そこで、マットレスに垂直方向に複数のスリットを穿設し、マットレスを小区画に区分し、それぞれの区画が身体各部を独立して支持する構造のものが開発された。クッション材に押し縮める深さに比例して反発力が強まる特性、即ち一定のバネレートの垂直圧縮弾性特性が必要であるが、単層のクッション材を用いる場合、非常に高価なものしかなかった。
【０００５】
正しい就寝時の姿勢は水中で仰臥したとき、水の比重とほぼ等しい比重を持つ身体がその一部を水面に出して浮いたときと同様であると云われている。これは、身体各部の荷重と水の浮力とが釣り有っているためで、敷寝具の上に就寝者が仰臥したとき就寝者の体重を支えるのは、敷寝具に充填されている中わた等の充填物の垂直圧縮反発弾性力と水平伸張反発弾性力、及び側地の水平伸張反発弾性力で水の浮力の３〜５倍の支持力が得られるよう０．３ｇ／mm・cm2 の一定のバネレートが望ましい。一定のバネレートとは、荷重に「比例」して縮まる特性のことで０．３ｇ／mm・cm2 は１cm2 の面積辺り１mm押し下げるのに０．３ｇの荷重が必要と言う意味である。従って、１０mm押しさげるのには３ｇの力が必要である。ちなみに水の浮力は０．１ｇ／mm・cm2 である。
【０００６】
水が物体に与える浮力は図１に示すグラフの如く、その物体が深く沈むほど大きくなるが、多気泡クッション材例えばウレタンフォームなどの発泡体にあっては、図２に示す如く、その上に乗っている物体に与えるバネレートは、物体の質量がある点を越えた時点で、急激に弱くなる。そのために、ウレタンフォームを使用したマットレスにあっては、上記急激なバネレートの低下に対処して硬目のものを使用しなければ充分な対荷重策とすることが出来ず、これが寝心地にも影響を与えた。また、押し縮める深さが深くなるに従い、中綿等の充填物の水平伸張反発弾性力と側地の水平伸張反発弾性力が急激に大きくなり、周囲から吊り上げられる力が発生する。
【０００７】
【発明が解決しようとする課題】
本発明は上記の点に鑑みて、荷重の大小を問わず常に水に浮かんだ時の状態のような一定のバネレートを有するマットレスを得ることを目的とする。
【０００８】
【課題を解決するための手段】
該積層体は硬さの異なる複数の多気泡クッション材を上層から下層に向け順次硬さが硬くなるよう積層し、上面から下面にまで突き抜けている複数のスリットを、平面視、スリットの一辺の中間部に、隣接するスリットの一端部を微細連続部分を有して接近させて穿設し、隣接する複数スリットにより囲われた柱状部分を形成した。上記スリットは平面形状がＩ字形，Ｙ字形をなしている。そして、少なくとも身体に接する側の面を、荷重を受けた部位のみ伸張性を発揮する柔軟な生地を用いた側地で覆った。
【０００９】
【発明の実施の形態】
本発明マットレス１の第１の実施例を図３により説明する。実施例１のマットレスは、多気泡クッション材２である平板状のウレタンフォーム２ａ，２ｂ，２ｃを３層に積層し、面接着等により一体化し、最上層の第１層から下層にかけて順次その硬さが硬くなるような素材を用い硬さを変化させている。その一例を上げると４層にした場合、表１に示す如くなる。
【００１０】
【表１】
0003820611.tif 000002
【００１１】
そして、図示の例では３層を通してスリット３を穿設している。スリット３は１辺の平面形状が直線をなした部分４の両端に小円状のふくらみ空間５を持たせ平面形状がＩ字状をなし、板状のウレタンフォーム２ａ，２ｂ，２ｃに対し垂直方向に延びている。上記Ｉ字状をなしたスリット３は、ウレタンフォーム２ａ，２ｂ，２ｃの外周を除き、１辺の直線部分４の中央にふくらみ空間５が近接し、２つのスリット３，３が延長線上で交差するような状態で配置されている。
【００１２】
従って、近接する１つづつのスリット３，３……は互いに連続することなく、４つのスリット３，３……に囲まれて積層されたウレタンフォームの柱状部分６が形成される。しかし、この柱状部分６は、スリット３の直線部分４と隣接する他のスリット３のふくらみ空間５とが近接してはいるが連続していない状態なので、各柱状部分６はそれぞれが或る程度自由に対荷重動作をし、それぞれが独立して圧縮されることはあるが、圧縮荷重に耐え兼ねて横倒れ或いは縦割れ状態になろうとするときなどには、微細連続部分７のため隣接する柱状部分６同志互いに引き合うために、容易には横倒れ縦割れ状態を生ずることはない。上記ふくらみ空間５は必ずしも空隙である必要はなく、中実でも例えば図７に示す如くスリットが弧状の先端部を有していれば差し支えない。
【００１３】
上記スリット３を穿設した積層ウレタンフォームは、その最下層２ｃにスリットを有しない平板状ベース８を一体に設ける。この平板状ベース８によりその上位にある各層のスリットが妄りに開き或いは変動し、形崩れの原因になる事態を防止している。
【００１４】
上記平板状ベース８は、その材質を適宜選択し、保形性を高め或いは通気性，保温成を高めることが可能である。例えば、素材とする連続した繊維状体、或いは線状体を三次元的に交絡させその接点を融着させてなる空隙率が大で適宜厚さを有する平板状の支持体を最下層に設けることにより、マットレスと床面との間に空隙が生じ、該部の通気性により就寝中の発汗等による水分が逸散し、マットレスの下に水分が凝縮することがない。
【００１５】
第２の実施例を図５に示す。図５に示す例は、スリット３の形状が第１の実施例と異なり、他は同一である。この例は、第１の実施例が１辺よりなる直線部分４よりなるのに対し３辺の一端を集中し他端を放射状に開いたＹ字状部分１０とし、各辺の先端にふくらみ空間１１を構成している。そしてＹ字状部分１０の各辺の交差部１２に近接して隣接するスリット３のふくらみ空間１１が位置している。これによりスリット３の岐腕に囲まれた柱状部分１３は三角形を呈することになる。
【００１６】
第１，第２の実施例のマットレス１は共にその周囲を適宜側地で被うものであるが、出来得れば側地に伸縮性のある生地を使用することにより、荷重の加わった部分のみ直接にその荷重をマットレスに伝えることを可能にすべきである。もし、伸縮性の全くない側地を用いた場合、荷重が加わった部分の周囲の側地も荷重の加わった部分の方に引かれ、広範囲でのマットレスの変形が生じてしまい、荷重の加わった位置でその荷重に応じた反発弾性を生じさせることにより寝心地を良くするという本発明マットレスの効果を削くことにもなる。側地の例として、経糸に綿１００％緯糸は３本に１本の割合で綿／ポリウレタンのカバーリングヤンを用いた平織，綾織，朱子織等の組織のものが好ましい。
【００１７】
本発明マットレスを使用したときの嵩高性と反発力との関係を図６にグラフで示す。同図にはウレタンフォームを５枚重ねた状態を示している。加えられた荷重が少ない場合、その荷重を先ず最上層ウレタンフォーム２ａが受けて変形が始まり、反発力が増大するが、最初の内は変形は少ないが或る点以降は反発力の増加を伴なわずに変形が急となり、第２層のウレタンフォーム２ｂがその荷重を支えることになる。
【００１８】
そして第１層と同様に、初めの内は、少ない変形で反発力を高めているが、第１層と同様或る点以降反発力の増加を伴なわずに変形が急となり、次いで第３層のウレタンフォーム２ｃがその荷重を支えることになる。これを積層数に応じた回数繰り返す。上記の過程によって、全体として反発力のカーブの緩い即ち、傾斜の緩い図１に示す如き水中に浮いたような状態の反発力を受けて就寝することが出来る。
【００１９】
【発明の効果】
本発明は以上詳述した如く、上層から下層に向け順次硬さを硬くした複数の多気泡クッション材を積層してなり、硬さの異なる複数の多気泡クッション材を上層から下層に向け順次硬さが硬くなるよう積層し、上面から下面にまで突き抜けている複数のスリットを、平面視、スリットの一辺の中間部に、隣接するスリットの一端部を微細連続部分を有して接近させて穿設し、隣接する複数スリットにより囲われた柱状部分を形成したので、荷重の大小並びに面積の大小を問わず、水に浮いたときの身体が受けると同様の反発力を得ることが出来、柔らかな寝心地と適正な寝姿勢の両立を実現することが出来る。
【図面の簡単な説明】
【図１】浮力と深さの関係を示すグラフである。
【図２】反発力と嵩高との関係を示すグラフである。
【図３】本発明マットレスの第１の実施例の断面を示す斜視図である。
【図４】本発明マットレスの第１の実施例の一部を示す平面図である。
【図５】本発明マットレスの第２の実施例の一部を示す平面図である。
【図６】積層ウレタンにおける圧発力と嵩高との関係を示すグラフである。
【図７】ふくらみ空間の変形を示す平面図である。
【符号の説明】
１  マットレス
２  多気泡クッション材
３  スリット
４  １辺の平面形状が直線をなした部分
５，１１  ふくらみ空間
６，１３  柱状部分
７  微細連続部分
１０  Ｙ字状部分
１２  交差部
【図１】
0003820611.tif 000003
【図２】
0003820611.tif 000004
【図６】
0003820611.tif 000005
【図３】
0003820611.tif 000006
【図７】
0003820611.tif 000007
【図４】
0003820611.tif 000008
【図５】
0003820611.tif 000009